(57)【要約】【目的】  裁縫時に発生する、糸の縫目をほどくために使用する糸切り具の構造に関し、より詳しくは縫目を一気にほどく際にも糸切り具が布に突き刺さることがない糸切り具を提供するものである。【解決手段】  本発明の糸切り具は、概Ｕ字形状を有する糸切り部（１）において、Ｕ字形状における２個のそれぞれの先端部（２）には概球形の球部（３）を有し、Ｕ字形状の凹部には刃部（４）を有し、糸切り部（１）と持手部（６）を接続するネック部（５）の形状は、糸切り部側の中心線（ｘ−ｘ）と、持手部側の中心線（ｙ−ｙ）の交差する角度が２０度±１５度となるように湾曲している。【選択図】図１
2008086727.tif 000002
【特許請求の範囲】
【請求項１】
概Ｕ字形状を有する糸切り部（１）において、Ｕ字形状における２個のそれぞれの先端部（２）には概球形の球部（３）を有し、Ｕ字形状の凹部を刃部（４）としたことを特徴とする糸切り具。
【請求項２】
糸切り部（１）と持手部（６）を接続するネック部（５）の形状は、糸切り部側の中心線（ｘ−ｘ）と、持手部側の中心線（ｙ−ｙ）の交差する角度が２０度±１５度となるように湾曲していることを特徴とする請求項１記載の糸切り具。
【請求項３】
糸切り部（１）とネック部（５）の接続部近傍に、直線形状の差込部（７）と、差込部（７）の根元に糸切り刃（８）を有することを特徴とする請求項１及び請求項２記載の糸切り具。
【請求項４】
持手部（６）の形状は、持手部の先端（９）を細くし、持手部の後端（１０）を太くし、持手部の先端（９）と持手部の後端（１０）の間を直線又は滑らかな曲線で結んだ形状としたことを特徴とする請求項１及び請求項２記載の糸切り具。
【請求項５】
Ｕ字形状の先端部（２）に有する球部（３）の球の大きさは、大きさが異なることを特徴とする請求項１及び請求項２記載の糸切り具。
【発明の詳細な説明】
【技術分野】
【０００１】  本発明は裁縫時に発生する、糸の縫目をほどくために使用する糸切り具の構造に関するものである。
【背景技術】
【０００２】  従来の糸切り具においては、棒状の差込部を縫目に差し込んで最初の縫目を切る差込部と、縫目に沿って一気に糸を切る先端が球状の糸切り部を有する裁縫用リッパー（特許文献１）が知られていた。
【特許文献１】意匠登録第１２０１３８５号
【発明の開示】
【発明が解決しようとする課題】
【０００３】  従来技術の課題を図４の従来例図を参照して説明する。
従来の糸切り具である裁縫用リッパーの構造は、棒状の差込部（２０）を縫目に差し込んで最初の縫目を切る差込部（２０）と、縫目に沿って一気に糸を切る先端が球状の糸切り部（２１）による構造である。【０００４】  従来技術の裁縫用リッパーの使用方法は、棒状の差込部（２０）を縫目の一ヶ所に差し込んで縫目を一ヶ所切り、次に先端が球状の糸切り部（２１）を縫目又は布と布の間に差し込んで、縫目に沿って押し込むことにより一気に糸を切断して縫目をほどくようになっている。【０００５】しかしながら従来の裁縫用リッパーでは、糸切り部（２１）で一気に縫目を切断する時に、先端の尖った棒状の差込部（２０）が布に刺さってしまい、一気に縫目を切断しようとしても上手に切断できないといった課題を有していた。
【課題を解決するための手段】
【０００６】  本発明の糸切り具は、概Ｕ字形状を有する糸切り部（１）において、Ｕ字形状における２個のそれぞれの先端部（２）には概球形の球部（３）を有し、Ｕ字形状の凹部を刃部（４）としたことを特徴とする。【０００７】  又、糸切り部（１）と持手部（６）を接続するネック部（５）の形状は、糸切り部側の中心線（ｘ−ｘ）と、持手部側の中心線（ｙ−ｙ）の交差する角度（１１）が２０度±１５度となるように湾曲していることを特徴とする。【０００８】  糸切り部（１）とネック部（５）の接続部近傍に、直線形状の差込部（７）と、差込部（７）の根元に糸切り刃（８）を有することを特徴とする。【０００９】  持手部（６）の形状は、持手部の先端（９）を細くし、持手部の後端（１０）を太くし、持手部の先端（９）と持手部の後端（１０）の間を直線又は滑らかな曲線で結んだ形状としたことを特徴とする。【００１０】  Ｕ字形状の先端部（２）に有する球部（３）の球の大きさは、大きさが異なることを特徴とする。
【発明の効果】
【００１１】  本発明の糸切り具を用いれば、糸切り部（１）は概Ｕ字形状で、Ｕ字形状における２個のそれぞれの先端部は概球形の球部（３）であるので、糸切り部（１）で一気に糸を切断して縫目をほどく際にも布に刺さってしまうことがなく、縫目は容易に切断できるといった効果を有するのである。【００１２】  又、糸切り部（１）と持手部（６）を接続するネック部（５）の形状は、糸切り部側の中心線（ｘ−ｘ）と、持手部側の中心線（ｙ−ｙ）の交差する角度が２０度±１５度となるように湾曲しているので、糸を切る際に糸切り具を持った手の手首をひねることなく縫目を切断できるので、手が疲れないといった効果を有するのである。【００１３】  細かな縫目には球部（３）の先端が大きすぎて縫目に入らない場合があるが、糸切り部（１）とネック部（５）の接続部近傍に、先端が尖った直線形状の差込部（７）と、差込部（７）の根元に糸切り刃（８）を配することで細かな縫目を容易に切断することができるのである。【００１４】  又、糸切り部（１）のＵ字形状の先端部（２）に有する球部（３）の球の大きさが異なるようにすることにより、細かな縫目にも差込みやすくなるとともに、縫目の大きさに合わせて球の大小を選択することにより糸切り作業が容易になるといった効果を有するのである。【００１５】  持手部（６）の形状は、持手部の先端（９）を細くし、持手部の後端（１０）を太くし、持手部の先端（９）と持手部の後端（１０）の間を直線又は滑らかな曲線で結んだ形状とすることにより、持手部（６）全体の大きさが太くなり握り易くなるといった効果を有するのである。
【発明を実施するための最良の形態】
【００１６】  布を縫い合わせた縫目を糸切り部（１）で一気に糸を切断することができる糸切り具について、図１を参照して説明する。【００１７】  図１は糸切り具の正面図であり、糸切り具の構造を説明するものである。【００１８】  糸切り部（１）は概Ｕ字形状をしており、Ｕ字形状における２個のそれぞれの先端部（２）は概球形の形状をなして球部（３）を形成し、Ｕ字形状の凹部には糸を切るための刃部（４）を有している。【００１９】  さらに糸切り部（１）と持手部（６）を接続するネック部（５）の形状は、糸切り部側の中心線（ｘ−ｘ）と、持手部側の中心線（ｙ−ｙ）の交差する角度が２０度±１５度となるように湾曲している。【００２０】  本発明の糸切り具は以上のような構成であり、これの使用方法を説明する。【００２１】  持手部（６）を手に握り、布を縫い合わせてある縫目に概Ｕ字形状をした糸切り部（１）の２個の先端部（２）の一方を差し込んで刃部（４）にて縫目の一目を切断し、切断した縫目の布の合わせ部に糸切り部（１）の先端部（２）の一方を差し込んで、縫目に沿って糸切り具全体を押し込むことにより縫目は一気に切断されるのである。【００２２】  切断した縫目の布の合わせ部に糸切り部（１）の先端部（２）の一方を差し込んで、縫目に沿って糸切り具全体を押し込むことにより縫目は一気に切断されるのであるが、この時、概Ｕ字形状における２個の先端部（２）はどちらも概球形の形状である球部（３）となっているので、縫目に沿って糸切り具全体を押し込んでも先端部（２）は布に刺さることがないので、縫目は容易に一気に切断することができるのである。【００２３】  さらには、糸切り部（１）を持手部（６）を接続するネック部（５）の形状は、糸切り部側の中心線（ｘ−ｘ）と、持手部側の中心線（ｙ−ｙ）の交差する角度が２０度±１５度となるように湾曲しているので、糸を切る際に糸切り具を持った手の手首をひねることなく縫目を切断できるのである。【００２４】  持手部（６）の形状は、持手部の先端（９）を細くし、持手部の後端（１０）を太くし、持手部の先端（９）と持手部の後端（１０）の間を直線又は滑らかな曲線で結んだ形状となっているので、持手部（６）全体の大きさが太くなり握り易くなるのである。【００２５】  図２は差込部を有する糸切り具の正面図であり、細かな縫目の最初の一目が切断しやすいようにしたものである。【００２６】  この構造は、糸切り部（１）とネック部（５）の接続部近傍に、先端が尖っている直線形状の差込部（７）を有し、差込部（７）の根元には糸切り刃（８）を有している。【００２７】  この差込部の使用方法は、糸切り部（１）の２個の先端部（２）は概球形の形状であるため、あまりにも細かな縫目には概球形形状の先端部（２）を差し込むことができないが、このような場合には先端が尖っている直線形状の差込部（７）を差し込んで、糸切り刃（８）にて縫目を切断することにより、最初の切断作業が容易となるのである。【００２８】  概球形形状の先端が尖った差込部（７）の先端は、縫目を一気に切断する場合の切断方向とは逆の向きになるように向けられているので、縫目を一気に切断する場合でも差込部（７）は布に刺さることはないのである。【００２９】  図３は球の大きさが異なる糸切り具の正面図であり、細かな縫目の最初の一目が切断しやすいようにした別の方法である。【００３０】  この構造は、Ｕ字形状の先端部（２）に有する球部（３）の球の大きさは、大きな球と小さな球といったように大きさが異なっているのである。【００３１】  このように、大きさが異なる球部（３）の形状を有することにより、最初の一目を切断する際には小さな球の球部（３）を差し込むことにより、細かな縫目でも容易に差し込むことができるので、切断作業が容易となるのである。
【図面の簡単な説明】
【図１】：糸切り具の正面図
【図２】：差込部を有する糸切り具の正面図
【図３】：球の大きさが異なる糸切り其の正面図
【図４】：従来例図
【符号の説明】
１：糸切り部
２：先端部
３：球部
４：刃部
５：ネック部
６：持手部
７：差込部
８：糸切り部
９：先端
１０：後端
１１：角度
ｘ−ｘ：糸切り部側の中心線
ｙ−ｙ：持手部側の中心線
２０：差込部
２１：糸切り部
【図１】
2008086727.tif 000003
【図２】
2008086727.tif 000004
【図３】
2008086727.tif 000005
【図４】
2008086727.tif 000006